(57)【要約】【課題】  対向端末を必要とせず、１台の端末でのテレビ電話を実現し、被試験端末のテレビ電話機能の試験を可能にする。【解決手段】  フレーム抽出部４ａは、被試験端末２からのデータ通信の接続確立要求から始まるフレームのうち少なくとも１つのフレームから制御コマンドと通信データとを抽出する。メッセージ処理部４ｃは、抽出された制御コマンドを解析し、解析された制御コマンドに応じて被試験端末２へ応答するための折り返し制御コマンドを作成する。フレームデータ作成部４ｄ，４ｅは、抽出された任意の時刻での通信データ、作成された任意の時刻での折り返し制御コマンドのうち少なくとも１つから接続確立要求に応答するための折り返しフレームを作成する。送受信データ処理部３は、フレームデータ作成部４ｄ，４ｅで作成された折り返しフレームを被試験端末２へ折り返し送信する。【選択図】    図１
2006157633.tif 000002
【特許請求の範囲】
【請求項１】
被試験端末（２）のデータ処理機能を試験するための擬似基地局装置（１）であって、
前記被試験端末からの通信を受信する受信手段（３）と、
前記受信手段を介して前記被試験端末からのデータ通信の接続確立要求から始まるフレームのうち少なくとも１つのフレームから制御コマンドと通信データとを抽出するフレーム抽出手段（４ａ）と、
前記フレーム抽出手段で抽出された前記制御コマンドを解析し、解析された制御コマンドに応じて前記被試験端末へ応答するための折り返し制御コマンドを作成するメッセージ処理手段（４ｃ）と、
前記フレーム抽出手段で抽出された任意の時刻での通信データと、及び前記メッセージ処理手段で作成された任意の時刻での折り返し制御コマンドのうち少なくとも１つから前記接続確立要求に応答するための折り返しフレームを作成するフレームデータ作成手段（４ｄ，４ｅ）と、
前記フレームデータ作成手段で作成された前記折り返しフレームを前記被試験端末へ送信する送信手段（３）とを備えたことを特徴とする擬似基地局装置。
【請求項２】
被試験端末（２）のテレビ電話機能を試験するための擬似基地局装置（１）であって、
前記被試験端末からの通信を受信する受信手段（３）と、
前記受信手段を介して前記被試験端末からのテレビ電話の接続確立要求から始まるフレームのうち少なくとも１つのフレームから制御コマンドと通信データとを抽出するフレーム抽出手段（４ａ）と、
前記フレーム抽出手段で抽出された前記制御コマンドを解析し、解析された制御コマンドに応じて前記被試験端末へ応答するための折り返し制御コマンドを作成するメッセージ処理手段（４ｃ）と、
前記フレーム抽出手段で抽出された任意の時刻での通信データと、及び前記メッセージ処理手段で作成された任意の時刻での折り返し制御コマンドのうち少なくとも１つから前記接続確立要求に応答するための折り返しフレームを作成するフレームデータ作成手段（４ｄ，４ｅ）と、
前記フレームデータ作成手段で作成された前記折り返しフレームを前記被試験端末へ送信する送信手段（３）とを備えたことを特徴とする擬似基地局装置。
【請求項３】
前記抽出したデータのデータを可変するためのデータ処理手段（４ｆ）を備えたことを特徴とする請求項２記載の擬似基地局装置。
【請求項４】
前記制御コマンドの種類を示すメッセージを記憶するメッセージ記憶部（４ｂ）を備え、
前記メッセージ処理手段（４ｃ）は、前記制御コマンドを前記メッセージ記憶部に記憶された前記メッセージの種類に基づいて同様の内容のコマンドの送出が必要なコマンドと解析したときに、該制御コマンドをそのまま前記折り返し制御コマンドとすることを特徴とする請求項２又は請求項３記載の擬似基地局装置。
【請求項５】
前記データ処理手段（４ｆ）は、前記抽出したデータにエラーを付加することを特徴とする請求項３記載の擬似基地局装置。
【請求項６】
前記データ処理手段（４ｆ）は、前記抽出したデータに替えてダミーデータに置き換えることを特徴とする請求項３記載の擬似基地局装置。
【請求項７】
前記データ処理手段（４ｆ）は、前記抽出したデータを任意の時間遅らせるための遅延回路として機能することを特徴とする請求項３記載の擬似基地局装置。
【請求項８】
前記メッセージ処理手段（４ｃ）は、前記制御コマンドを出力可能なことを特徴とする請求項２記載の擬似基地局装置。
【請求項９】
請求項２の擬似基地局装置（１）を用いて被試験端末（２）のテレビ電話機能を試験するテレビ電話端末試験方法であって、
テレビ電話の接続手順を行いテレビ電話接続を確立する段階と、
前記被試験端末がカメラを用いて被写体の画像を捉え、前記被試験端末の表示器上の第１の画面（２ａ）に前記画像を表示するとともに前記画像を多重化データに変換して送信する第１の段階と、
前記被試験端末から送信された前記多重化データを受けて折返す第２の段階と、
折り返された前記多重化データを受けて画像に変換し前記被試験端末の表示器上の第２の画面（２ｂ）に表示する第３の段階と、
前記第１の画面と前記第２の画面に表示される画像の時間差から前記被試験端末の第１の段階、第２の段階および第３の段階の処理時間の合計を判定する段階とを有することを特徴とするテレビ電話端末試験方法。
【請求項１０】
請求項５の擬似基地局装置（１）を用いて被試験端末（２）のテレビ電話機能を試験するテレビ電話端末試験方法であって、
テレビ電話の接続手順を行いテレビ電話接続を確立する段階と、
前記被試験端末がカメラを用いて被写体の画像を捉え、前記被試験端末の表示器上の第１の画面（２ａ）に前記画像を表示するとともに前記画像を多重化データに変換して送信する第１の段階と、
前記被試験端末から送信された前記多重化データを受けてそのデータを可変してエラーを付加した多重化データとして折返す第２の段階と、
折り返された前記エラーを付加した多重化データを受けて画像に変換し前記被試験端末の表示器上の第２の画面（２ｂ）に表示する第３の段階と、
前記第１の画面と前記第２の画面に表示される画像から前記被試験端末の前記第３の段階のエラー訂正処理の許容範囲を判定する段階とを有することを特徴とするテレビ電話端末試験方法。
【発明の詳細な説明】
【技術分野】
【０００１】
本発明は、例えば携帯電話や端末装置等の被試験端末の擬似基地局として機能し、被試験端末のデータ処理機能（音声、画像、各種データの処理機能）を試験するために用いられる擬似基地局装置及び該装置を用いたテレビ電話端末試験方法に関するものである。
【背景技術】
【０００２】
近年、ＩＭＴ−２０００(International Mobile Telecommunications-2000)標準に基づく第三世代移動通信サービスが開始され、広帯域性を活用することにより、例えばテレビ電話や映像配信など情報量の大きい動画像を含むマルチメディアサービスが可能となっている。
【０００３】
特に、動画像サービスに関しては、移動網にとどまらず、地上固定通信網との間のテレビ電話接続、インターネットを介した映像配信まで広がりつつあり、携帯電話はますますマルチメディアを含んだ高速・高機能化が進んでいる。
【０００４】
このように、進化を続ける携帯電話を開発するにあたっては、その開発途上で音声、画像、各種データの処理機能を試験して性能を評価することも重要となってくる。ここでは、携帯電話のデータ処理機能として音声、画像を取り扱うテレビ電話機能を試験する場合を例にとって説明する。
【０００５】
開発中の携帯電話のテレビ電話機能を試験するにあたっては、従来よりテレビ電話のループバックの機能の実現についてのユーザからの要求が強いのに反し、この種の試験を行うための対応可能な装置が無かったため、従来は被試験端末としての携帯電話とは別に対向機を用意して通信試験を行っていた。
【０００６】
具体的に、２台のシミュレータによる対向試験を行う場合には、図９（ａ）に示すように、被試験端末である開発中の携帯電話２１に試験装置２２を接続し、この試験装置２２に例えばイーサネット（登録商標）を介してもう１台の試験装置２３を接続し、さらにこの試験装置２３に対向機としての相手端末２４を接続して試験システムを構築していた。そして、この試験システムでは、図１０に示すように、被試験端末２１から試験装置２２への接続要求により被試験端末２１と試験装置２２との間が接続されると共に、試験装置２２からもう１台の試験装置２３に対して対向試験開始通知が行われ、試験装置２３と相手端末２４との間が接続される。これにより、被試験端末２１と試験装置２２との間の無線接続、試験装置２３と相手端末２４との間の無線接続が確立すると、２台の試験装置２１，２２を介して被試験端末２１と相手端末２４との間で通信可能となり、被試験端末２１と相手端末２４との間で対向試験を実施していた。
【０００７】
また、ＩＳＤＮ端末を使用した通話試験では、図９（ｂ）に示すように、被試験端末２１に試験装置２２を接続し、試験装置２２にＩＳＤＮ回線を介して対向機としての相手端末２５を接続して試験システムを構築している。そして、この試験システムでは、図１１に示すように、被試験端末２１から試験装置２２への接続要求により被試験端末２１と試験装置２２との間で通信が行われ、試験装置２２から相手端末２５への接続要求により相手端末２５のセットアップ・呼び出し等が行われ、被試験端末２１と試験装置２２との間、試験装置２２と相手端末２５との間の無線接続が確立すると、試験装置２２を介して被試験端末２１と相手端末２５との間で通信可能となり、被試験端末２１と相手端末２５との間でテレビ電話接続を確立させて通話試験を実施していた。
【０００８】
しかしながら、上述した従来の試験システムでは、対向試験や通話試験など各種試験を行うにあたって対向機としての相手端末２４，２５が必要不可欠であり、装置も大掛かりになり、システムも複雑化するという問題があった。また、被試験端末２１と相手端末２４，２５とでプロトコルバージョンや画像圧縮方法が異なると、データ通信が正常に行なえない、音声が正しく再生されない、画像が途切れる、接続できないといった状況を招き、被試験端末２１と相手端末２４，２５との間の接続を確実に確立させて試験を行うことができない場合があった。
【０００９】
さらに、テレビ電話試験の場合、画像と音声が多重化されたデータが通信され、この種の多重化データから画像と音声を切り出して解析処理するなど、被試験端末２１と相手端末２４，２５との間で複数の処理が必要となり、試験結果も被試験端末２１とは関係ない相手端末２４，２５の性能に左右されるため、正確な試験が行えなかった。しかも、試験結果が相手端末２４，２５の性能に左右されるので、被試験端末２１自身の処理時間を測定することが困難であった。
【００１０】
このため、被試験端末（テレビ電話）の開発にあたっては、被試験端末を改造してＨ．２４５による接続のための手順を無効として、画像・音声データを折り返すことでループバックを擬似的に行うなどの方法で代替的な試験を行なっていた。
【００１１】
しかしながら、上述した方法では、被試験端末に改造が必要であり、被試験端末全体としての試験を行うことができなかった。
【００１２】
ところで、異なる画像符号方式を持つ端末間で画像データを変換するシステムとして、下記特許文献１に開示される画像通信システムが知られている。この特許文献１に開示される従来の画像通信システムは、図１２に示すように、端末３１，３２間に接続され、制御部３３、制御プロトコル部３４、多重分離プロトコル部３５、画像符号変換部３６、２つの固定パターン格納部３７，３８を備えている。各構成について説明すると、制御部３３は、各プロトコルの制御と画像符号変換制御を行う。制御プロトコル部３４は、Ｈ．２４２とＨ．２４５のプロトコル処理を行う。多重分離プロトコル部３５は、制御プロトコルのデータと画像データを多重して各端末３１，３２に送信したり、画像データを受信して制御プロトコルのデータと画像データに分離する。画像符号変換部３６は、画像データの符号化方式の変換を行う。一方の固定パターン格納部３７は、端末３１に適合したＨ．２６１の画像符号化方式の固定パターンデータを格納する。他方の固定パターン格納部３８は、端末３２に適合したＭＰＥＧ４の画像符号化方式の固定パターンデータを格納する。この画像通信システムによれば、先に接続完了した端末に対して、相手端末と同じ画像・音声の固定データを送るので、正常に画像データを送信することができる。
【特許文献１】特開２００４−４８２６１号公報
【発明の開示】
【発明が解決しようとする課題】
【００１３】
しかしながら、上記特許文献１に開示される従来の画像通信システムでは、各端末３１，３２毎にその端末に適合する画像符号化方式の固定パターンを格納しておき、先に接続した端末に対してもう一方の端末が接続できるまでの間、相手端末と同じ画像符号化方式の固定パターンを送信する構成なので、例えばＨ．２６１，ＭＰＥＧ４等の特定の画像符号化方式のみに限定され、端末の画像符号化方式が異なる場合、その端末に適合する画像符号化方式の固定パターンを予め格納しておく必要があり、相手端末の性能にも左右され、互換性の問題があった。
【００１４】
このように、特許文献１に開示される画像通信システムを含め、従来の試験システムでは、被試験端末のデータ処理機能（例えば音声・画像を通信するテレビ電話機能やパソコン通信などのデータ通信機能）を試験するにあたっては対向端末を必要不可欠とする共通の課題があった。
【００１５】
そこで、本発明は上記問題点に鑑みてなされたものであって、対向端末を必要とせず、被試験端末のデータ処理機能を試験することができる擬似基地局装置を提供することを目的としている。
【００１６】
また、上記擬似基地局装置を使用したテレビ電話通信試験において、受信したデータを擬似基地局装置にて折り返すことで、１台の端末でのテレビ電話を実現してテレビ電話機能を試験することができるテレビ電話端末試験方法を提供することを目的としている。
【課題を解決するための手段】
【００１７】
上記目的を達成するため、本発明の請求項１に記載された擬似基地局装置は、被試験端末２のデータ処理機能を試験するための擬似基地局装置１であって、
前記被試験端末からの通信を受信する受信手段３と、
前記受信手段を介して前記被試験端末からのデータ通信の接続確立要求から始まるフレームのうち少なくとも１つのフレームから制御コマンドと通信データとを抽出するフレーム抽出手段４ａと、
前記フレーム抽出手段で抽出された前記制御コマンドを解析し、解析された制御コマンドに応じて前記被試験端末へ応答するための折り返し制御コマンドを作成するメッセージ処理手段４ｃと、
前記フレーム抽出手段で抽出された任意の時刻での通信データと、及び前記メッセージ処理手段で作成された任意の時刻での折り返し制御コマンドのうち少なくとも１つから前記接続確立要求に応答するための折り返しフレームを作成するフレームデータ作成手段４ｄ，４ｅと、
前記フレームデータ作成手段で作成された前記折り返しフレームを前記被試験端末へ送信する送信手段３とを備えたことを特徴とする。
【００１８】
請求項２に記載された擬似基地局装置は、被試験端末２のテレビ電話機能を試験するための擬似基地局装置１であって、
前記被試験端末からの通信を受信する受信手段３と、
前記受信手段を介して前記被試験端末からのテレビ電話の接続確立要求から始まるフレームのうち少なくとも１つのフレームから制御コマンドと通信データとを抽出するフレーム抽出手段４ａと、
前記フレーム抽出手段で抽出された前記制御コマンドを解析し、解析された制御コマンドに応じて前記被試験端末へ応答するための折り返し制御コマンドを作成するメッセージ処理手段４ｃと、
前記フレーム抽出手段で抽出された任意の時刻での通信データと、及び前記メッセージ処理手段で作成された任意の時刻での折り返し制御コマンドのうち少なくとも１つから前記接続確立要求に応答するための折り返しフレームを作成するフレームデータ作成手段４ｄ，４ｅと、
前記フレームデータ作成手段で作成された前記折り返しフレームを前記被試験端末へ送信する送信手段３とを備えたことを特徴とする。
【００１９】
請求項３に記載された擬似基地局装置は、請求項２記載の擬似基地局装置において、
前記抽出したデータのデータを可変するためのデータ処理手段４ｆを備えたことを特徴とする。
【００２０】
請求項４に記載された擬似基地局装置は、請求項２又は請求項３記載の擬似基地局装置において、
前記制御コマンドの種類を示すメッセージを記憶するメッセージ記憶部４ｂを備え、
前記メッセージ処理手段４ｃは、前記制御コマンドを前記メッセージ記憶部に記憶された前記メッセージの種類に基づいて同様の内容のコマンドの送出が必要なコマンドと解析したときに、該制御コマンドをそのまま前記折り返し制御コマンドとすることを特徴とする。
【００２１】
請求項５に記載された擬似基地局装置は、請求項３記載の擬似基地局装置において、
前記データ処理手段４ｆは、前記抽出したデータにエラーを付加することを特徴とする。
【００２２】
請求項６に記載された擬似基地局装置は、請求項３記載の擬似基地局装置において、
前記データ処理手段４ｆは、前記抽出したデータに替えてダミーデータに置き換えることを特徴とする。
【００２３】
請求項７に記載された擬似基地局装置は、請求項３記載の擬似基地局装置において、
前記データ処理手段４ｆは、前記抽出したデータを任意の時間遅らせるための遅延回路として機能することを特徴とする。
【００２４】
請求項８に記載された擬似基地局装置は、請求項２記載の擬似基地局装置において、
前記メッセージ処理手段４ｃは、前記制御コマンドを出力可能なことを特徴とする。
【００２５】
請求項９に記載されたテレビ電話端末試験方法は、請求項２の擬似基地局装置１を用いて被試験端末２のテレビ電話機能を試験するテレビ電話端末試験方法であって、
テレビ電話の接続手順を行いテレビ電話接続を確立する段階と、
前記被試験端末がカメラを用いて被写体の画像を捉え、前記被試験端末の表示器上の第１の画面２ａに前記画像を表示するとともに前記画像を多重化データに変換して送信する第１の段階と、
前記被試験端末から送信された前記多重化データを受けて折返す第２の段階と、
折り返された前記多重化データを受けて画像に変換し前記被試験端末の表示器上の第２の画面２ｂに表示する第３の段階と、
前記第１の画面と前記第２の画面に表示される画像の時間差から前記被試験端末の第１の段階、第２の段階および第３の段階の処理時間の合計を判定する段階とを有することを特徴とする。
【００２６】
請求項１０に記載されたテレビ電話端末試験方法は、請求項５の擬似基地局装置１を用いて被試験端末２のテレビ電話機能を試験するテレビ電話端末試験方法であって、
テレビ電話の接続手順を行いテレビ電話接続を確立する段階と、
前記被試験端末がカメラを用いて被写体の画像を捉え、前記被試験端末の表示器上の第１の画面２ａに前記画像を表示するとともに前記画像を多重化データに変換して送信する第１の段階と、
前記被試験端末から送信された前記多重化データを受けてそのデータを可変してエラーを付加した多重化データとして折返す第２の段階と、
折り返された前記エラーを付加した多重化データを受けて画像に変換し前記被試験端末の表示器上の第２の画面２ｂに表示する第３の段階と、
前記第１の画面と前記第２の画面に表示される画像から前記被試験端末の前記第３の段階のエラー訂正処理の許容範囲を判定する段階とを有することを特徴とする。
【発明の効果】
【００２７】
請求項１の擬似基地局装置によれば、例えば携帯電話等の被試験端末に対する折り返し試験であっても、擬似基地局装置が通信データのデータ形式（例えば圧縮方式、暗号化方式等）の処理機能を有する必要が無いので、折り返しが高速で、かつ汎用性も高く複数種類の被試験端末に対して試験が可能であり、対向する端末も不要となるため安価に被試験端末の試験環境を提供できる。
【００２８】
請求項２の擬似基地局装置によれば、請求項１の擬似基地局装置と同様に、例えば携帯電話等の被試験端末に対する折り返し試験であっても、擬似基地局装置が通信データのデータ形式（例えば圧縮方式、暗号化方式等）の処理機能を有する必要が無いので、折り返しが高速で、かつ汎用性も高く複数種類の被試験端末に対して試験が可能であり、対向する端末も不要となるため安価に被試験端末の試験環境を提供できる。そして、特に、テレビ電話側で撮影した画像と、通常同一のデータが折り返されるため、画像の比較も容易になる。
【００２９】
請求項３の擬似基地局装置によれば、抽出されたデータが可変可能なため、抽出されたデータのデータの一部を誤らせたり、データを欠落させたり、データを付加することができ、通常正常系（データ通信が成功する基本シーケンス）の動作試験である折り返し試験においても準正常系（正常系とは違う何らかの手順を踏むが最終的には正常にデータ通信が終了するシーケンス）、異常系（異常終了で終わり、データ通信が正常に終了しないシーケンス）の試験を簡単に行うことができる。
【００３０】
請求項４の擬似基地局装置によれば、被試験端末の音声、画像データの圧縮方法（ＡＭＲ，ＭＰＥＧ４）等の各種設定情報の制御が必要なく、接続された被試験端末に対して被試験端末と同じ機能を持つ端末とあたかも接続されたように被試験端末と同じ内容で設定させることができる。このため、擬似基地局装置内に各種設定情報を持つ必要が無いばかりでなく、対向試験における端末間の機能の違い等による接続不能のような状態も発生しない。
【００３１】
請求項５の擬似基地局装置によれば、抽出されたデータにエラーを付加することができ、被試験端末のエラー訂正能力の試験を簡単に行うことができる。
【００３２】
請求項６の擬似基地局装置によれば、抽出されたデータの替わりに例えば予め記憶したダミーデータに置き換えることができ、被試験端末に対して期待されないデータが送られた場合に準正常系や異常系の試験を簡単に行うことができる。
【００３３】
請求項７の擬似基地局装置によれば、折り返し処理時間が可変可能な擬似基地局装置を２台用意して、従来端末または他社端末（基準端末）による画像処理時間と、被試験端末による画像処理時間が目視上同一となるようにより速い画像処理時間の端末が接続された擬似基地局装置の折り返し処理時間を調整（遅らせる）することで、基準端末と被試験端末との画像処理時間の性能差を測定することができる。
【００３４】
請求項８の擬似基地局装置によれば、制御コマンドをデータファイル等に出力可能なため、任意のプロトコル解析装置が使用可能となり、通信に係るプロトコルの解析が容易となる。
【００３５】
請求項９のテレビ電話端末試験方法によれば、第２段階が予め知ることができるほぼ一定の処理時間のため、被試験端末自身のデータ処理時間を測定することができ、被試験端末の開発、検査に役立つ。
【００３６】
請求項１０のテレビ電話端末試験方法によれば、テレビ電話端末において、カメラで撮像した画像と、多重化データが折り返された画像が表示されているため、折り返される多重化データへエラーを付加しその影響をテレビ電話上で比較判断できるため、簡単にかつ最低限の設備でテレビ電話端末のエラー訂正処理の許容範囲を調べることができる。
【発明を実施するための最良の形態】
【００３７】
以下、本発明の実施の形態を図面を参照しながら具体的に説明する。図１は被試験端末のデータ処理機能を試験するための本発明に係る擬似基地局装置の機能ブロック図、図２（ａ）〜（ｃ）は本発明に係る擬似基地局装置のフレーム抽出部で処理される各種データ例を示す図、図３は本発明に係る擬似基地局装置と被試験端末との間で送受信されるメッセージの具体例を示す動作シーケンス図、図４（ａ），（ｂ）は本発明に係る擬似基地局装置によって被試験端末の遅延時間を測定する場合の概念図、図５は本発明に係る擬似基地局装置によって被試験端末からのデータに対する誤り訂正確認をする場合の概念図、図６は本発明に係る擬似基地局装置によって被試験端末との間の接続維持確認をする場合の概念図、図７は本発明に係る擬似基地局装置によって制御情報の解析を行う場合の概念図、図８（ａ），（ｂ）は本発明に係る擬似基地局装置と従来の試験システムの個々における被試験端末との接続時の動作シーケンスの比較図である。
【００３８】
（実施例１）
図１に示すように、本例の擬似基地局装置１には、例えば携帯電話や端末装置などの被試験端末２が有線接続又は無線接続される。この擬似基地局装置１は、被試験端末２のデータ処理機能（例えば音声、画像、各種データの処理機能）を試験するもので、送受信データ処理部３とユーザデータ処理部４とを備えて概略構成される。以下では、データ処理機能として、音声、画像の処理によるテレビ電話機能の試験を行う場合を例にとって説明する。
【００３９】
被試験端末２は、例えばカメラ機能を有する携帯電話からなり、カメラを用いて被写体の画像を捉え、この画像を多重化データに変換して擬似基地局装置１に送信する。また、被試験端末２は、図１に示すように、表示画面が第１の画面２ａと第２の画面２ｂとに分割された表示器を本体に具備している。第１の画面２ａには、カメラで捉えた被写体の画像が表示される。また、第２の画面２ｂには、被試験端末２からの多重化データの送信に伴って擬似基地局装置１から折り返される多重化データを変換して得られる画像（擬似基地局装置１からの折り返し受信画像）が表示される。
【００４０】
送受信データ処理部３は、送信手段及び受信手段を含み、図１に示すように、３ＧＰＰ(3rd Generation Partnership Project ：第３世代移動体通信システムの標準化プロジェクト。また、同プロジェクトによる移動体通信システムの標準規格) で定義されているＰＨＹ(Physical Layer)３ａ，ＭＡＣ(Medium Access Control Layer) ３ｂ，ＲＬＣ(Radio Link Control Layer)３ｃ，ＲＲＣ(Radio Resource Control Layer)３ｄの各レイヤ部を有している。
【００４１】
これらのレイヤ部は、被試験端末２と本例の擬似基地局装置１との間で無線区間を確立するために必要なレイヤである。その概略について説明すると、ＰＨＹ３ａは、規格番号ＴＳ  ２５．２１１〜２１５で、伝送路上のデータ表現形式とインタフェース形状の規定をする物理層のレイヤである。ＭＡＣ３ｂは、規格番号ＴＳ  ２４．３２１で、相手までデータを届けるための各通信チャネルの変換を行うレイヤである。ＲＬＣ３ｃは、規格番号ＴＳ  ２５．３２２で、相手まで確実に効率良くデータを届けるためのデータ分割、結合、再送制御などを行うレイヤである。ＲＲＣ３ｄは、規格番号ＴＳ  ２５．３３１で、データの送受信を行うための仮想的な経路（コネクション）の確立や開放を行うレイヤである。
【００４２】
ユーザデータ処理部４は、上記送受信データ処理部３によって被試験端末２と擬似基地局装置１との間の無線接続が確立されると、その無線区間を介して被試験端末２との間でデータの送受信を行っている。ユーザデータ処理部４は、図１に示すように、フレーム抽出部４ａ、メッセージ記憶部４ｂ、メッセージ処理部４ｃ、フレーム作成部４ｄ、データ作成部４ｅ、データ処理部４ｆを備えて概略構成される。なお、フレーム作成部４ｄ及びデータ作成部４ｅによってフレームデータ作成部（図１の破線で囲んだ部分）を構成している。
【００４３】
フレーム抽出部４ａは、ＲＬＣ３ｃからのＵｐｌｉｎｋ  ＲＬＣ  Ｄａｔａから同期フラグを検出し、有意なＨ．２２３フレームを抽出している。なお、Ｈ．２２３は、ＩＴＵ−Ｔ(International Telecommunication Union-Telecommunication Standardization Sector ：国際電気通信連合（ＩＴＵ）の電気通信標準化部門）勧告のマルチメディア・データの多重分離方法であり、ファイル転送やホワイトボードなどのデータ共有のためのチャネルも提供する。
【００４４】
このフレーム抽出部４ａによって抽出されるＨ．２２３フレームは、被試験端末２からの接続確立要求から使用されるフレームであり、図２（ａ）〜（ｃ）に示すように、ＳＲＰ(Simple Retransmission Protocol)コマンド／ＮＳＲＰ(Numbered Simple Retransmission Protocol) レスポンスと多重化データ（無い場合もある）との組み合わせによって構成される。また、ＳＲＰコマンドは、再送制御のため処理されて付加される部分であるシーケンスＮｏ．等とＨ．２４５制御コマンドとで構成される。ＮＳＲＰレスポンスは、再送制御のため処理されて付加されるシーケンスＮｏ．等で構成されている。
【００４５】
フレーム抽出部４ａは、図２（ａ）に示すように、Ｈ．２２３フレームにＳＲＰコマンドがある場合、ＳＲＰコマンドをメッセージ処理部４ｃに送出し、多重化データがある場合は多重化データをＡｕｄｉｏ，Ｖｉｓｕａｌデータとしてデータ作成部４ｅに送出している。また、図２（ｂ）に示すように、Ｈ．２２３フレームにＮＳＲＰレスポンスがある場合には、ＮＳＲＰレスポンスを廃棄し、多重化データがある場合は多重化データをＡｕｄｉｏ，Ｖｉｓｕａｌデータとしてデータ作成部４ｅに送出している。さらに、図２（ｃ）に示すように、Ｈ．２２３フレームが多重化データ（例えばテレビ電話接続確立後の多重化データ）のみで構成される場合には、その多重化データをＡｕｄｉｏ，Ｖｉｓｕａｌデータとしてデータ作成部４ｅに送出している。すなわち、フレーム抽出部４ａは、上記ＳＲＰコマンド／ＮＳＲＰレスポンス以外のデータに関して特別な解析を行わず、Ａｕｄｉｏ，Ｖｉｓｕａｌデータとしてデータ作成部４ｅに送出している。
【００４６】
ここで、ＳＲＰ／ＮＳＲＰは、Ｈ．２４５メッセージのデータリンクレイヤとして、ＩＴＵ−Ｔ勧告Ｈ．３２４で規定される再送手順プロトコルである。
【００４７】
また、Ｈ．２４５は、ＩＴＵ−Ｔ勧告のパケット多重によるマルチメディア通信制御プロトコルであり、ＱｏＳ（サービス品質）非保証型ＬＡＮでテレビ電話・会議を行うＨ．３２３等のシステムの中で、ＡＣＫ(Acknowledgment 、肯定確認応答) とＮＡＣＫ(Negative Acknowledgment、否定確認応答) のやり取りによる、エンド・ツー・エンドの通信制御を行っている。
【００４８】
メッセージ記憶部４ｂは、無線接続の確立によって被試験端末２から受けたＨ．２２３フレーム中のＳＲＰコマンドのＨ．２４５制御コマンドの内容であるメッセージの種類を記憶している。メッセージの種類には、メッセージ自体（名称等）とそのメッセージを受けた時の対応を定義した内容が含まれている。
【００４９】
メッセージ処理部４ｃは、フレーム抽出部４ａで抽出された制御コマンドを解析処理している。また、メッセージ処理部４ｃは、コマンドのやり取りにシーケンス番号等による再送制御を行う再送制御手段４ｃａを有している。さらに説明すると、メッセージ処理部４ｃでは、フレーム抽出部４ａで抽出されたＳＲＰコマンドからシーケンス番号を抽出してＮＳＲＰレスポンスを作成している。また、メッセージ処理部４ｃは、フレーム抽出部４ａで抽出されたＳＲＰコマンドからＨ．２４５制御コマンドを抽出し、そのメッセージと予めメッセージ記憶部４ｂに記憶されたメッセージの種類とを比較し、その比較結果に応じて例えば以下に示す（１）〜（５）の処理を実行している。
【００５０】
（１）Ｒｅｑｕｅｓｔ  Ｍｅｓｓａｇｅが「ＭａｓｔｅｒＳｌａｖｅＤｅｔｅｒｍｉｎａｔｉｏｎ」（通信端末同士で、Ｍａｓｔｅｒ，Ｓｌａｖｅを決めるためのメッセージ）であれば、「ＭａｓｔｅｒＳｌａｖｅＤｅｔｅｒｍｉｎａｔｉｏｎＡｃｋ」のＲｅｓｐｏｎｓｅメッセージを作成する。Ｒｅｑｕｅｓｔ  Ｍｅｓｓａｇｅが「ＲｏｕｎｄＴｒｉｐＤｅｌａｙＲｅｑｕｅｓｔ」（通信中のＤｅｌａｙを測定する場合に用いられるメッセージ）であれば、「ＲｏｕｎｄＴｒｉｐＤｅｌａｙＲｅｓｐｏｎｓｅ」のＲｅｓｐｏｎｓｅメッセージを作成する。
【００５１】
（２）上記以外のＲｅｑｕｅｓｔメッセージであれば、Ｒｅｓｐｏｎｓｅメッセージを作成せず、そのまま折り返す。
【００５２】
（３）Ｒｅｓｐｏｎｓｅメッセージが、音声・画像データの圧縮方法（ＡＭＲ，ＭＰＥＧ）等の各種設定情報を含む応答メッセージである「ＴｅｒｍｉｎａｌＣａｐａｂｉｌｉｔｙＳｅｔＡｃｋ」、音声・画像データの多重方法の応答メッセージである「ＭｕｌｔｉｐｌｅｘＥｎｔｒｙＳｅｎｄＡｃｋ」、ＬｏｇｉｃａｌＣｈａｎｎｅｌの起動の応答メッセージである「ＯｐｅｎＬｏｇｉｃａｌＣｈａｎｎｅｌＡｃｋ」の何れかであれば、そのＲｅｓｐｏｎｓｅメッセージをそのまま折り返す。
【００５３】
（４）（３）で示した以外のＲｅｓｐｏｎｓｅメッセージであれば廃棄する。
【００５４】
（５）ＣｏｍｍａｎｄメッセージとＩｎｄｉｃａｔｉｏｎメッセージは廃棄する。
【００５５】
そして、メッセージ処理部４ｃは、折り返しのために上記で作成したＨ．２４５制御コマンドであるＲｅｓｐｏｎｓｅメッセージ、及びそのまま折り返す必要のあるＲｅｑｕｅｓｔメッセージとＲｅｓｐｏｎｓｅメッセージとを作成し、各々ＳＲＰコマンドとしてカプセリングしている。また、メッセージ処理部４ｃは、上記で作成したＳＲＰコマンドをフレーム作成部４ｄに送出している。なお、メッセージ処理部４ｃは、抽出した（受信した）Ｈ．２４５制御コマンド及び、作成した（送出した）Ｈ．２４５制御コマンドの両方又はどちらか一方を必要に応じてデータファイル等に出力することができる。
【００５６】
フレーム作成部４ｄは、メッセージ処理部４ｃから送られてきたＮＳＲＰレスポンスとＳＲＰコマンドをＨ．２２３フレームでカプセリングし、このカプセリングされたＨ．２２３フレームをデータ作成部４ｅに送出している。
【００５７】
データ作成部４ｅは、フレーム抽出部４ａで任意の時刻に抽出したＡｕｄｉｏ，Ｖｉｓｕａｌデータと、フレーム作成部４ｄから任意の時刻に送られてきたＨ．２２３フレームとを個別に、又は１つのＨ．２２３フレームとし、Ｄｏｗｎｌｉｎｋ  ＲＬＣ  ＤａｔａとしてＲＬＣ３ｃに送出可能なように分割等してＲＬＣ３ｃに送出している。すなわち、フレーム抽出部４ａが抽出した同一のＨ．２２３フレーム内のＳＲＰコマンドと多重化データ（Ａｕｄｉｏ，Ｖｉｓｕａｌデータ）は、別々に処理されるため、折り返すＨ．２２３フレームでは同一のフレームに入る必要はない。
【００５８】
データ処理部４ｆは、データを記憶するデータ記憶部を含み、被試験端末２からの多重化データ（Ａｕｄｉｏ，Ｖｉｓｕａｌデータ）の加工、記憶、置き換え等を行っている。さらに説明すると、データ処理部４ｆでは、装置本体に設けられる不図示の入力手段の入力操作（例えば操作パネルに設けられるキー操作やコマンド入力など）により、被試験端末２の試験開始前に、データ作成部４ｆにデータを送出するまでの遅延時間、エラーを付加するビット数、ダミーフレーム、データ付加の各種設定が行えるようになっている。また、データ処理部４ｆは、被試験端末２からの多重化データを折り返して送出する際に、その多重化データを設定した遅延時間だけ遅延させて被試験端末２に送出する遅延回路としても機能する。なお、被試験端末２との接続確立後に上記各種設定を行った場合には、設定後に受信した多重化データから設定内容が反映される。また、データ処理部４ｆは、通常のテレビ電話通信では何も処理しない。
【００５９】
（実施例２）
次に、上記のように構成される擬似基地局装置１によるテレビ電話接続（接続確立）時のシーケンス例について図３を参照しながら説明する。
【００６０】
図３において、擬似基地局装置１は、被試験端末２から「ＴｅｒｍｉｎａｌＣａｐａｂｉｌｉｔｙＳｅｔ」（イ）を受けると、上述したメッセージ処理部４ｃの（２）の処理により、「ＴｅｒｍｉｎａｌＣａｐａｂｉｌｉｔｙＳｅｔ」（ロ）をそのまま被試験端末２に折り返す。そして、被試験端末２は、擬似基地局装置１から「ＴｅｒｍｉｎａｌＣａｐａｂｉｌｉｔｙＳｅｔ」を受けると、「ＴｅｒｍｉｎａｌＣａｐａｂｉｌｉｔｙＳｅｔＡｃｋ」（ハ）を擬似基地局装置１に送る。擬似基地局装置１は、被試験端末２から「ＴｅｒｍｉｎａｌＣａｐａｂｉｌｉｔｙＳｅｔＡｃｋ」を受けると、上述したメッセージ処理部４ｃの（３）の処理により、「ＴｅｒｍｉｎａｌＣａｐａｂｉｌｉｔｙＳｅｔＡｃｋ」（ニ）をそのまま被試験端末２に折り返す。
【００６１】
次に、被試験端末２は、擬似基地局装置１から「ＴｅｒｍｉｎａｌＣａｐａｂｉｌｉｔｙＳｅｔＡｃｋ」を受けると、「ＭａｓｔｅｒＳｌａｖｅＤｅｔｅｒｍｉｎａｔｉｏｎ」を擬似基地局装置１に送る。擬似基地局装置１は、被試験端末２から「ＭａｓｔｅｒＳｌａｖｅＤｅｔｅｒｍｉｎａｔｉｏｎ」を受けると、上述したメッセージ処理部４ｃの（１）の処理により、「ＭａｓｔｅｒＳｌａｖｅＤｅｔｅｒｍｉｎａｔｉｏｎＡｃｋ」をＲｅｓｐｏｎｓｅメッセージとして折り返す。被試験端末２は、擬似基地局装置１から「ＭａｓｔｅｒＳｌａｖｅＤｅｔｅｒｍｉｎａｔｉｏｎＡｃｋ」を受けると、「ＭａｓｔｅｒＳｌａｖｅＤｅｔｅｒｍｉｎａｔｉｏｎＡｃｋ」を擬似基地局装置１に送る。
【００６２】
そして、擬似基地局装置１は、被試験端末２から「ＭａｓｔｅｒＳｌａｖｅＤｅｔｅｒｍｉｎａｔｉｏｎＡｃｋ」を受けると、上述したメッセージ処理部４ｃの（４）の処理により、「ＭａｓｔｅｒＳｌａｖｅＤｅｔｅｒｍｉｎａｔｉｏｎＡｃｋ」を廃棄する。
【００６３】
その後、擬似基地局装置１は、被試験端末２から「ＯｐｅｎＬｏｇｉｃａｌＣｈａｎｎｅｌ」を受けると、上述したメッセージ処理部４ｃの（２）の処理により、「ＯｐｅｎＬｏｇｉｃａｌＣｈａｎｎｅｌ」をそのまま被試験端末２に折り返す。被試験端末２は、擬似基地局装置１から「ＯｐｅｎＬｏｇｉｃａｌＣｈａｎｎｅｌ」を受けると、「ＭｕｌｔｉｐｌｅｘＥｎｔｒｙＳｅｎｄＡｃｋ」を擬似基地局装置１に送る。擬似基地局装置１は、被試験端末２から「ＭｕｌｔｉｐｌｅｘＥｎｔｒｙＳｅｎｄＡｃｋ」を受けると、上述したメッセージ処理部４ｃの（３）の処理により、「ＭｕｌｔｉｐｌｅｘＥｎｔｒｙＳｅｎｄＡｃｋ」をそのまま被試験端末２に折り返す。
【００６４】
このように、上述したシーケンス例では、被試験端末２からのメッセージ（イ）に対する擬似基地局装置１の応答（ニ）と、擬似基地局装置１からのメッセージ（ロ）に対する被試験端末２の応答（ハ）とが入れ子状態となって見かけ上シーケンスを実現している。そして、本例の擬似基地局装置１では、被試験端末２からのＨ．２２３フレーム内のＳＲＰコマンドからＨ．２４５メッセージを抽出し、そのメッセージタイプに応じて処理を行っているので、Ｈ．２４５プロトコルで被試験端末２の音声、画像データの圧縮方法（ＡＭＲ，ＭＰＥＧ４）等の各種設定情報の制御が必要なく、接続された被試験端末２に対して被試験端末２と同じ機能を持つ端末（対向機に相当）とあたかも接続されたように設定させることができる。このため、擬似基地局装置１内に各種設定情報を持つ必要が無いばかりでなく、対向試験における端末間の機能の違い等による接続不能のような状態も発生しない。
【００６５】
（実施例３）
次に、本例の擬似基地局装置１を用いてテレビ電話端末試験を行う場合の方法について説明する。
【００６６】
テレビ電話端末試験を行う場合には、まず、図３に示すようなテレビ電話の接続手順を行い、被試験端末２と擬似基地局装置１との間でテレビ電話接続を確立する（ステップ１）。このテレビ電話接続が確立した状態で被試験端末２がカメラを用いて被写体を捉え、被試験端末２の表示器上の第１の画面２ａに被写体の画像を表示するとともに、その画像を多重化データに変換して擬似基地局装置１に送信する（ステップ２）。擬似基地局装置１では、被試験端末２から送信された多重化データを受けて被試験端末２にそのまま折り返す（ステップ３）。被試験端末２は、擬似基地局装置１から折り返された多重化データを受けて画像に変換し、この変換された画像を被試験端末２の表示器上の第２の画面２ｂに表示する（ステップ４）。そして、第１の画面２ａと第２の画面２ｂに表示される画像の時間差から被試験端末２の全体処理時間の合計（ステップ２〜４の処理時間の合計）を判定する。なお、第１の画面２ａと第２の画面２ｂに表示される映像の時間差は、被試験端末２内の不図示のタイマ、又は不図示の外部時間測定装置によりカウントされる。そして、その時間差を画面上に表示することができる。
【００６７】
上述したテレビ電話端末試験では、擬似基地局装置１内での処理時間、すなわち被試験端末２から送信された多重化データを受けて折り返すまでの時間、また、受けたデータを可変して折り返すまでに要する処理時間がほぼ一定で予め判るため、被試験端末２自身のデータ処理時間を測定することができ、被試験端末の開発、検査に役立つ。
【００６８】
（実施例４）
また、上述したテレビ電話端末試験において、エラー訂正処理の許容範囲を判定する場合には、まずステップ１、２を実行する。そして、擬似基地局装置１は、被試験端末２から送信された多重化データを受けると、その多重化データを可変し、エラーを付加した多重化データ（以下エラー多重化データとも言う）として被試験端末２に折り返す（ステップ３’）。被試験端末２は、この折り返されたエラー多重化データを受けて画像に変換し、この変換された画像を被試験端末２の表示器上の第２の画面２ｂに表示する（ステップ４’）。そして、擬似基地局装置１から折り返されたエラー多重化データを受けて画像に変換し、この変換された画像を第２の画面２ｂに表示する段階（ステップ４’）でのエラー訂正処理の許容範囲を第１の画面２ａと第２の画面２ｂに表示される画像から判定する。
【００６９】
このエラー訂正処理の許容範囲を判定する試験では、被試験端末２において、カメラで撮像した画像と、擬似基地局装置１で折り返された多重化データを変換した画像とが一緒に表示されるので、折り返される多重化データへエラーを付加し、その影響を被試験端末２の表示器の画面上で比較判断することができる。これにより、簡単、かつ最低限の設備でテレビ電話端末のエラー訂正処理の許容範囲を調べることができる。
【００７０】
具体的には、上述したエラー多重化データに付加するエラーをデータ処理部４ｆで増加（エラービット数を増加するなど）させていき、折り返された多重化データによる画像が乱れた場合（カメラで撮像した画像に対して異常な画像となったとき）のエラー付加量を観測することでテレビ電話端末のエラー訂正処理の許容範囲を調べることができる。
【００７１】
（実施例５）
次に、本例の擬似基地局装置１の各種試験例について図４乃至図７を参照しながら説明する。
【００７２】
まず、本例の擬似基地局装置１によれば、被試験端末２自身の遅延時間を測定することができる。本例の擬似基地局装置１では、従来の試験システムにおける対向機が不要であり、擬似基地局装置１内で処理に要する時間が予め判るため、被試験端末１の遅延時間を求めることができる。
【００７３】
具体的には、今、図４に示すように、被試験端末２からの多重化データを受けてから被試験端末２に折り返すまでの擬似基地局装置１内での処理による遅延時間をＣとし、被試験端末２がカメラで被写体の映像を捉えて第１の画面２ａに表示し、この映像を多重化データに変換して擬似基地局装置１に送るまでの処理時間をＡ、擬似基地局装置１から折り返される多重化データを画像に変換して第２の画面２ｂに表示するまでの処理時間をＢとする。これにより、被試験端末２がカメラで被写体を捉えて第１の画面２ａに画像を表示し、この画像を多重化データに変換して擬似基地局装置１に送り、被試験端末２から送られる多重化データを被試験端末２に折り返し、この折り返された多重化データを画像に変換して第２の画面２ｂに表示するまでに要する全体の処理時間ＸはＡ＋Ｂ＋Ｃとなる。
【００７４】
そして、本例では、擬似基地局装置１での遅延時間Ｃが予め判っているので、前述したテレビ電話端末試験によって全体の処理時間Ｘ（＝Ａ＋Ｂ＋Ｃ）を判定し、この全体の処理時間Ｘから遅延時間Ｃを差し引けば被試験端末２の処理時間Ａ＋Ｂを知ることができる。また、擬似基地局装置１と接続される被試験端末２を変えて同様の試験を行うことにより、被試験端末２毎の処理時間Ａ＋Ｂを知ることができる。そして、被試験端末同士の試験結果を比較することで被試験端末の性能を比較することができる。
【００７５】
（実施例６）
次に、本例の擬似基地局装置１によれば、被試験端末２と接続して誤り訂正確認をすることができる。本例の擬似基地局装置１では、被試験端末２からのＵｐｌｉｎｋ  ＲＬＣ  Ｄａｔａから有意なＨ．２２３フレームを抽出し、さらにＨ．２２３フレームからＳＲＰコマンド／ＮＳＲＰレスポンスと多重化データとを分離抽出し、抽出された多重化データにエラービットを付加することができる。例えば図５に示すように、被試験端末２がカメラで被写体を捉えて第１の画面２ａに画像を表示し、この画像を多重化データ「０１０１００１０１００１０１」に変換して擬似基地局装置１に送る。擬似基地局装置１では、被試験端末２からの多重化データ「０１０１００１０１００１０１」に対し、エラービットを付加した多重化データ「０１０１００１０１０００１１」を被試験端末２に折り返す。被試験端末２では、擬似基地局装置１からのエラービットを付加した多重化データを処理し、第２の画面２ｂに表示する。これにより、被試験端末２が擬似基地局装置１から受けたエラービットを付加した多重化データをどのように処理するか、第１の画面２ａと第２の画面２ｂを比較することで誤り訂正能力を確認することができる。
【００７６】
（実施例７）
次に、本例の擬似基地局装置１によれば、被試験端末２との接続維持の確認をすることができる。本例の擬似基地局装置１では、被試験端末２から送られてくる多重化データに対してデータを付加したり、ダミーフレームに置き換える処理をデータ処理部４ｆで行っている。例えば図６の例では、被試験端末２がカメラで被写体を捉えて第１の画面２ａに画像（被写体が両手を下げて正面を向いている状態）を表示し、この画像を多重化データＡに変換して擬似基地局装置１に送る。擬似基地局装置１では、被試験端末２からの多重化データＡをそのまま被試験端末２に折り返す。被試験端末２では、擬似基地局装置１から折り返される多重化データＡを画像に変換して第２の画面２ｂに表示する。このとき、第２の画面２ｂには、第１の画面２ａと同様の画像が表示される。次に、片手を上げたときの被写体をカメラで捉えて第１の画面２ａに表示し、この画像を多重化データＢに変換して擬似基地局装置１に送る。擬似基地局装置１では、被試験端末２からの多重化データＢを多重化データＡ（ダミーフレーム：例えばそれ以前に被試験端末２から送られてきた多重化データ）に置き換えて被試験端末２に折り返す。これにより、擬似基地局装置１からの多重化データＡを被試験端末２がどのように処理するか、第２の画面２ｂ（図中の斜線部分）を観察することで通信維持の状態を目視で確認することができ、被試験端末２の動作確認が行える。
【００７７】
このように、本例（実施例６及び実施例７）の擬似基地局装置１では、被試験端末２からの抽出された多重化データに対してデータの内容をデータ処理部４ｆで任意に可変することができるので、抽出された多重化データのデータの一部を誤らせたり、データを欠落させたり、データを付加し、通常の正常系（データ通信が成功する基本シーケンス）の動作試験である折り返し試験においても準正常系（正常系とは違う何らかの手順を踏むが最終的には正常にデータ通信が終了するシーケンス）や異常系（異常終了で終わり、データ通信が正常に終了しないシーケンス）の試験を簡単に行うことができる。
【００７８】
（実施例８）
次に、本例の擬似基地局装置１によれば、被試験端末２のテレビ電話に使用するプロトコルの解析に貢献することができる。本例の擬似基地局装置１では、図７に示すように、被試験端末２からのＵｐｌｉｎｋ  ＲＬＣ  Ｄａｔａ（図のＡ）からＨ．２４５制御コマンド（図中のＣｏｎｔｒｏｌ）と多重化データ（図中のＡｕｄｉｏ，Ｖｉｓｕａｌ）とを分離抽出し、抽出したＨ．２４５制御コマンドを例えばデータファイルとして出力することができる。そして、この外部出力されるＨ．２４５制御コマンドは、例えばＴＣＰ−ＩＰに乗せて他の機器へ送信することが可能であり、プロトコル解析用ツールを用いてＨ．２４５制御コマンドの内容を解析することでテレビ電話に使用するプロトコルの解析に貢献することができる。
【００７９】
尚、上記抽出したＨ．２４５制御コマンドに加えて、折り返し（送出）するために作成されたＨ．２４５制御コマンドについても、抽出したＨ．２４５制御コマンドと共に出力することもできる。また、折り返し（送出）するために作成されたＨ．２４５制御コマンドのみを出力することもできる。
【００８０】
（実施例９）
また、他の応用例として、２つの試験環境を構築するため、データ処理部４ｆによる被試験端末２からの多重化データの折り返し処理時間（遅延時間）が可変可能な擬似基地局装置１を２台用意し、基準端末（従来端末や他社端末）による画像処理時間と、被試験端末２による画像処理時間とが目視上又は、時間計測にて同一となるように２台の擬似基地局装置１の折り返し処理時間（遅延時間）をデータ処理部４ｆで調整する。これにより、被試験端末２の基準端末との画像処理時間の性能差を測定することができる。
【００８１】
このように、本例の擬似基地局装置１では、被試験端末２に対する擬似基地局として、被試験端末２から受信したデータ（多重化データ）を折り返すことにより１台の装置でのテレビ電話を実現している。これにより、被試験端末のデータ処理機能（テレビ電話機能）を試験することができる。しかも、図８（ａ），（ｂ）の本例の擬似基地局装置１と従来の測定システムにおける被試験端末２とのシーケンスの比較図を見ても判るように、本例の擬似基地局装置１によれば、従来の試験システムのように、対向端末（図９（ａ）に示すような試験装置と相手端末、図９（ｂ）に示すような相手端末）が不要となり、システムをシンプルに構成することができる。
【００８２】
また、被試験端末２との通信上のフレーム内の多重化データを分解せずにそのまま折り返すので、従来のような対向機による遅延もなく速度向上が図れ、被試験端末２とは関係ない相手端末の性能にも左右されない。そして、被試験端末２からの多重化された音声データと画像データとを分離して解析する処理も必要ないので、通信相手側の処理時間の短縮が図れ、測定時間を短縮化でき、被試験端末２自身の遅延を測定することも可能となる。
【００８３】
さらに、被試験端末２からのフレーム内の多重化データをそのまま被試験端末２に折り返すので、プロトコルバージョン等の差異等で繋がらない可能性もなく、かつ送受信でバージョン等が変わることもない。そして、接続できない端末もないので、完全互換をとることができる。
【００８４】
ところで、上述した形態では、被試験端末２のテレビ電話機能を試験する場合を例にとって説明したが、例えばパソコン通信のように各種データの処理機能を試験する場合にも本例の擬似基地局装置１を採用することができる。
【００８５】
また、本例の擬似基地局装置１によれば、図１に示すように、被試験端末２との間の無線区間が確立した状態で、ユーザデータ処理部４を介して被試験端末２とＩＳＤＮ端末や他の試験装置との間で通信を行うことも可能である。
【図面の簡単な説明】
【００８６】
【図１】本発明に係る擬似基地局装置の機能ブロック図である。
【図２】（ａ）〜（ｃ）  本発明に係る擬似基地局装置のフレーム抽出部で処理される各種データ例を示す図である。
【図３】本発明に係る擬似基地局装置と被試験端末との間で送受されるメッセージの具体例を示す動作シーケンス図である。
【図４】本発明に係る擬似基地局装置によって被試験端末の遅延時間を測定する場合の概念図である。
【図５】本発明に係る擬似基地局装置によって被試験端末からのデータに対する誤り訂正確認をする場合の概念図である。
【図６】本発明に係る擬似基地局装置によって被試験端末との間の接続維持確認をする場合の概念図である。
【図７】本発明に係る擬似基地局装置によって制御情報の解析を行う場合の概念図である。
【図８】（ａ），（ｂ）  本発明に係る擬似基地局装置と従来の試験システムの個々における被試験端末との接続時の動作シーケンスの比較図である。
【図９】（ａ），（ｂ）  従来の試験システムの各例を示す概略図である。
【図１０】図９（ａ）の試験システムによる被試験端末の対向試験時の動作シーケンスの概略図である。
【図１１】図９（ｂ）の試験システムによる被試験端末のＩＳＤＮ端末との接続試験時の動作シーケンスの概略図である。
【図１２】特許文献１に開示される従来の画像通信システムの概略構成図である。
【符号の説明】
【００８７】
１  擬似基地局装置
２  被試験端末
２ａ  第１の画面
２ｂ  第２の画面
３  送受信データ処理部
３ａ  ＰＨＹ
３ｂ  ＭＡＣ
３ｃ  ＲＬＣ
３ｄ  ＲＲＣ
４  ユーザデータ処理部
４ａ  フレーム抽出部
４ｂ  メッセージ記憶部
４ｃ  メッセージ処理部
４ｃａ  再送制御手段
４ｄ  フレーム作成部
４ｅ  データ作成部
４ｆ  データ処理部
【図１】
2006157633.tif 000003
【図２】
2006157633.tif 000004
【図３】
2006157633.tif 000005
【図４】
2006157633.tif 000006
【図５】
2006157633.tif 000007
【図６】
2006157633.tif 000008
【図７】
2006157633.tif 000009
【図８】
2006157633.tif 000010
【図９】
2006157633.tif 000011
【図１０】
2006157633.tif 000012
【図１１】
2006157633.tif 000013
【図１２】
2006157633.tif 000014